(57)【特許請求の範囲】
【請求項１】
外周側に取付部を有した第１ケースと、この第１ケースの取付部に対向するように配される内周側に受部を有した第２ケースと、前記第１ケースの取付部に取り付けられるベース部に、前記第２ケースの受部に弾性変形を伴い当接されるヒレ部を一体的に設けた構成とされたパッキンと、を備えており、
前記パッキンは、前記第１ケース及び前記第２ケースの隅部となるコーナー部におけるヒレ部の基部の厚さが前記第１ケース及び前記第２ケースのコーナー部以外の部位におけるヒレ部の基部の厚さよりも大とされており、
前記パッキンのヒレ部は、前記第１ケースに対する前記第２ケースの組付方向先側に向かうに従い前記取付部から離間するように傾斜する形状とされ、前記コーナー部以外の部位におけるヒレ部の基部に、前記コーナー部のヒレ部の基部よりも薄くなるように、前記第１ケースに対する前記第２ケースの組付方向先側に向けて開口する凹部を設けていることを特徴とするケース。
【請求項２】
請求項１において、
前記コーナー部におけるヒレ部の基部の厚さを、該ヒレ部の先側部位の厚さよりも大としていることを特徴とするケース。
【請求項３】
請求項１または２において、
前記パッキンのコーナー部とこのコーナー部の両側の部位との境界部に、前記第１ケースの取付部に設けられた係合穴に嵌め入れられる係合突起を設けていることを特徴とするケース。
【発明の詳細な説明】
【技術分野】
【０００１】
本発明は、種々の被収容物を収容するケースに関する。
【背景技術】
【０００２】
従来より、互いに接合されて種々の被収容物を収容する収容空間を区画する第１ケースと第２ケースとを有したケースが知られている。このようなケースとしては、接合部に防水や防塵等のためにパッキンが設けられたものもある。
例えば、下記特許文献１には、後ケースの合せ面に溝を設け、前ケースの合せ面に、後ケースの溝に嵌り込むシール部材を一体に成形した構成のケースが開示されている。また、このケースは、前ケースのシール部材に、外周側に向けて突出し、後ケースの溝の内周側に向く面に当接される薄肉部を設けた構成とされている。
【先行技術文献】
【特許文献】
【０００３】
【特許文献１】特開平７−９５１０１号公報
【発明の概要】
【発明が解決しようとする課題】
【０００４】
ところで、上記のようなシール部材は、比較的に軟質であるため損傷等し易かったり、経時劣化等によって交換等する必要性が生じたりすることが考えられ、別部材にすることが望まれる場合もある。このような場合において、上記のような外周側に向けて突出する薄肉部を設けた場合には、ケースの隅部となるコーナー部において内外周差によって薄肉部に対して周方向に伸ばすように引っ張り力が作用する傾向があり、薄肉部が倒れ易くなることが考えられる。
【０００５】
本発明は、上記実情に鑑みてなされたものであり、パッキンを別部材としながらも、パッキンの当接される部位に対する密着性を向上し得るケースを提供することを目的としている。
【課題を解決するための手段】
【０００６】
前記目的を達成するために、本発明に係るケースは、外周側に取付部を有した第１ケースと、この第１ケースの取付部に対向するように配される内周側に受部を有した第２ケースと、前記第１ケースの取付部に取り付けられるベース部に、前記第２ケースの受部に弾性変形を伴い当接されるヒレ部を一体的に設けた構成とされたパッキンと、を備えており、前記パッキンは、前記第１ケース及び前記第２ケースの隅部となるコーナー部におけるヒレ部の基部の厚さが前記第１ケース及び前記第２ケースのコーナー部以外の部位におけるヒレ部の基部の厚さよりも大とされており、前記パッキンのヒレ部は、前記第１ケースに対する前記第２ケースの組付方向先側に向かうに従い前記取付部から離間するように傾斜する形状とされ、前記コーナー部以外の部位におけるヒレ部の基部に、前記コーナー部のヒレ部の基部よりも薄くなるように、前記第１ケースに対する前記第２ケースの組付方向先側に向けて開口する凹部を設けていることを特徴とする。
【発明の効果】
【０００７】
本発明に係るケースは、上述のような構成としたことで、パッキンを別部材としながらも、パッキンの当接される部位に対する密着性を向上させることができる。
【図面の簡単な説明】
【０００８】
【図１】本発明の一実施形態に係るケースの一例を模式的に示し、一部を省略した概略分解斜視図である。
【図２】（ａ）は、同ケースが備えるパッキンの一例を模式的に示す概略正面図、（ｂ）は、同ケースが備える第１ケースの一例に同パッキンを組み付けた状態を模式的に示す概略正面図である。
【図３】（ａ）は、図２（ｂ）におけるＸ１−Ｘ１線矢視に対応させた一部破断概略縦断面図、（ｂ）は、図２（ｂ）におけるＸ２−Ｘ２線矢視に対応させた一部破断概略分解縦断面図である。
【図４】（ａ）は、図３（ｂ）に対応させた一部破断概略縦断面図、（ｂ）は、図２（ａ）におけるＹ−Ｙ線矢視に対応させた一部破断概略縦断面図、（ｃ）は、図３（ｂ）に対応させた一部を省略した一部破断概略分解縦断面図である。
【図５】（ａ）、（ｂ）は、本発明の他の実施形態に係るケースの一例を模式的に示し、図２（ａ）、（ｂ）にそれぞれ対応させた概略正面図である。
【図６】（ａ）、（ｂ）は、本発明の更に他の実施形態に係るケースの一例を模式的に示し、図２（ａ）、（ｂ）にそれぞれ対応させた概略正面図である。
【図７】（ａ）、（ｂ）は、本発明の更に他の実施形態に係るケースの一例を模式的に示し、図２（ａ）、（ｂ）にそれぞれ対応させた概略正面図である。
【発明を実施するための形態】
【０００９】
以下に本発明の実施の形態について、図面に基づいて説明する。
なお、一部の図では、他図に付している詳細な符号の一部を省略している。
また、以下の各実施形態では、各実施形態に係るケースを取付対象に取り付けた状態を基準として上下方向等の方向を説明する。
【００１０】
図１〜図４は、第１実施形態に係るケースの一例を模式的に示す図である。
本実施形態に係るケース１は、図１に示すように、第１ケース１０と、第２ケース２０と、これら各ケース１０，２０の接合部に沿うように設けられるパッキン３０と、を備えている。パッキン３０は、第１ケース１０の外周側及びこれに対向するように配される第２ケース２０の内周側のうちの一方に設けられた取付部１４に取り付けられるベース部３１を備えている。また、パッキン３０は、このベース部３１に、他方に設けられた受部２４に弾性変形を伴い当接されるヒレ部３２を一体的に設けた構成とされている。本実施形態では、第１ケース１０の外周側に取付部１４を設け、第２ケース２０の内周側に受部２４を設けた構成としている。
【００１１】
上記のような構成としたことで、パッキン３０を別部材としながらも、パッキン３０の当接される部位に対する密着性を向上させることができる。つまり、パッキン３０を取付部１４が設けられた第１ケース１０に取り付けられるもの、つまり、第１ケース１０とは別体としているので、パッキン３０が損傷したり、経時劣化等した場合には、交換することができる。また、取付部１４と受部２４との間の寸法が周方向や成形品毎にばらつきがあるような場合にも、ヒレ部３２を、弾性変形を伴って受部２４に当接させることができるので、密着不足等が生じ難く、受部２４に対する密着性を向上させることができる。
【００１２】
また、本実施形態では、第１ケース１０の隅部となるコーナー部１６におけるヒレ部３２の基部３４の厚さを、第１ケース１０のコーナー部以外の部位１５，１７，１８におけるヒレ部３２の基部３３の厚さよりも大としている。このような構成とすれば、コーナー部１６におけるヒレ部３２の倒れを抑制することができ、パッキン３０のヒレ部３２をより安定的に受部２４に密着させることができる。つまり、パッキン３０を、ヒレ部３２が外周側に向くように取り付けられるものとした場合には、コーナー部１６においてヒレ部３２に対して周方向に引っ張り力が作用し倒れ易くなる傾向があるが、当該部位のヒレ部３２の基部３４の剛性を向上させることができる。また、全長に亘ってヒレ部３２の基部を厚くした場合と比べて、コーナー部以外の部位１５，１７，１８におけるヒレ部３２を弾性変形し易くすることができる。これにより、パッキン３０の組付性が低下したり、ケース１を組み付ける際に、ヒレ部３２が受部２４によって組付方向に引っ張られてベース部３１が取付部１４から浮くように捩れたりするようなことを抑制することができる。
【００１３】
また、本実施形態では、パッキン３０のヒレ部３２を、取付部１４が設けられたケース１０に対する、受部２４が設けられたケース２０の組付方向先側に向かうに従い取付部１４から離間するように傾斜する形状としている。つまり、パッキン３０のヒレ部３２を、第１ケース１０に対する第２ケース２０の組付方向先側に向かうに従い取付部１４から離間するように傾斜する形状としている。このような構成とすれば、第１ケース１０と第２ケース２０とを組み付ける際に、周方向の一部のヒレ部３２が意図しない側に倒れて噛み込まれるようなことを抑制することができ、パッキン３０のヒレ部３２をより安定的に受部２４に密着させることができる。また、このようにヒレ部３２を傾斜形状とすれば、当該ケース１を組み付ける前に、コーナー部１６においてより倒れ易くなる傾向があるが、上記構成とすることで、コーナー部１６におけるヒレ部３２の倒れを抑制することができる。
【００１４】
また、本実施形態では、第１ケース１０の取付部１４に、パッキン３０のベース部３１に設けられた係合突起３９が嵌め入れられる係合穴１９を設けた構成としている。このような構成とすれば、当該ケース１を組み付ける際に、ヒレ部３２が受部２４によって組付方向に引っ張られてベース部３１が取付部１４から浮くように捩れたりするようなことを抑制することができる。これにより、ケース１を組み付けた状態で、パッキン３０が捩れた状態で噛み込まれるようなことを抑制することができ、パッキン３０のヒレ部３２をより安定的に受部２４に密着させることができる。また、パッキン３０の取付部１４に対する周方向の位置ずれを抑制することができる。
【００１５】
当該ケース１は、種々の電子機器や、その他、種々の被収容物等を収容するものでもよい。また、このケース１を、ケース１内への水分や塵埃等の侵入を阻止する防水ケースや防塵ケースとしてもよい。
また、本実施形態では、ケース１を、組付方向に見て、概ね多角形状としている。本実施形態では、ケース１を、組付方向に見て、概ね方形状（図例では、概ね長方形状）としている。また、このケース１を、一つの辺部が上辺部となるように取付対象に取り付けられる構成としている。また、このケース１を、組付方向を厚さ方向とし、厚さ寸法が比較的に薄い薄型ケースとしている。
また、本実施形態では、図３（ｂ）に示すように、第２ケース２０を、組付方向に沿う方向となる一方に向けて開口し、被収容物を収容する収容空間２２が設けられたケース本体２０としている。また、第１ケース１０を、このケース本体２０の開口を覆うように配される概ね平板状の裏蓋１０としている。
【００１６】
また、本実施形態では、このケース１を、複数の操作部を構成する操作ボタンやスイッチ等をケース本体２０に設け、収容空間２２内に電子機器や種々の電子部品が実装された基板等が収容される機器ケースとしている。このようなケース１としては、例えば、他の機器を遠隔操作するリモコン（リモートコントローラー）の外郭筐体を構成するものとしてもよい。このようなリモコンとしては、例えば、各種ＡＶ装置や、空気調和装置、照明装置、浴室装置、便器装置等のリモコンとしてもよい。
また、本実施形態では、このケース１を、裏蓋１０側が取付対象としての壁面側となるように壁面に取り付けられる壁面設置型としている。
【００１７】
ケース本体２０は、当該ケース１の取付対象とは異なる側となる反取付対象側に配される前板状部２１と、この前板状部２１の周縁部に連なるように設けられ周縁を構成する周壁部２５，２６，２６，２７と、を備えている。本実施形態では、このケース本体２０を、当該ケース１の組付方向に見て、概ね方形状（図例では、概ね長方形状）とし、前板状部２１の四周縁に、周壁部としての上板状部２５、両側板状部２６，２６及び下板状部２７を設けた構成としている。これら前板状部２１、上板状部２５、両側板状部２６，２６及び下板状部２７によって組付方向一方側に向けて開口する収容空間２２を区画している。
また、周壁部となる上板状部２５、両側板状部２６，２６及び下板状部２７の内周側に向く面（内周面）が、受部２４となる。
【００１８】
受部２４は、当該ケース１が組み付けられた状態で、裏蓋１０の取付部１４との間に、全周に亘って略均一な隙間が形成されるようにケース本体２０の内周の全周に亘って設けられている。
また、受部２４は、図３（ｂ）及び図４（ａ）に示すように、上板状部２５、両側板状部２６，２６及び下板状部２７の開口縁側部位（反前板状部側部位）に設けられている。
上板状部２５の受部２４と下板状部２７の受部２４とは、上下方向に向き、互いに対向するように略平行状に設けられている。
両側板状部２６，２６の受部２４，２４同士は、上下方向及び組付方向に直交する方向（左右方向）に向き、互いに対向するように略平行状に設けられている。
【００１９】
また、上板状部２５とその両側の各側板状部２６，２６との隅部及び下板状部２７とその両側の各側板状部２６，２６との隅部となるコーナー部の受部２４は、図示は省略しているが、凹湾曲面形状（Ｒ形状）とされている。これら四隅のコーナー部の受部２４は、後記する裏蓋１０の取付部１４のコーナー部１６に応じた形状とされている。
また、図例では、上板状部２５、両側板状部２６，２６及び下板状部２７の受部２４よりも開口縁側となる開口周縁に、受部２４よりも段下がり状とされた凹段部２３を設けている。この凹段部２３は、ケース本体２０の開口周縁の全周に亘って設けられている。
なお、このケース本体２０の下板状部２７に、適宜、水抜き孔等を設けるようにしてもよい。
【００２０】
裏蓋１０は、薄平板状の蓋本体１１の厚さ方向一方側の周端部に沿って取付部１４を設けた構成とされている。
蓋本体１１は、当該ケース１の組付方向に見て、概ね方形状（図例では、概ね長方形状）とされている。本実施形態では、この蓋本体１１（裏蓋１０）を、図４（ａ）に示すように、ケース本体２０の開口に納められるように該開口を覆う構成としている。当該ケース１が組み付けられた状態では、この蓋本体１１の外周端面がケース本体２０の開口縁側の内周面に近接または当接する構成とされている。また、図例では、当該ケース１を組み付けた状態で、蓋本体１１の厚さ方向他方側面（取付対象側に向く面）とケース本体２０の開口側端面とが略同一平面状となる構成としている。
また、蓋本体１１の周端部の厚さ方向他方側部位に、外周側に向けて突出しケース本体２０の凹段部２３に納められる突段部を設けた構成としている。
【００２１】
また、本実施形態では、取付部１４を、周方向に延びるように設けられた取付溝１４としている。この取付溝１４は、蓋本体１１の周端部の全周に亘って外周側に向くように設けられている。また、本実施形態では、取付溝１４を、図３（ａ）及び図４（ｃ）に示すように、溝長手方向に見て、略矩形溝状としている。
この取付溝１４は、図１及び図３（ａ）に示すように、溝幅方向一方側の反取付対象側に向く溝内側壁が蓋本体１１の周端部の厚さ方向一方側面によって構成されている。また、この取付溝１４の溝底は、蓋本体１１の周縁から内周側に控えた位置から厚さ方向一方側（反取付対象側）に向けて突出するように設けられた溝底片部１２によって構成されている。また、この取付溝１４の溝幅方向他方側の取付対象側に向く溝内側壁は、溝底片部１２の突出方向先端部から外周側に向けて突出するように設けられた側壁片部１３によって構成されている。
【００２２】
この取付溝１４の溝幅（当該ケース１の組付方向に沿う方向の幅）は、全周に亘って略同幅とされている。
また、この取付溝１４の溝深さ（側壁片部１３の突出寸法）は、全周に亘って略同深さ（略同寸法）とされている。この取付溝１４は、当該ケース１が組み付けられた状態で、溝底とケース本体２０の受部２４との間に、全周に亘って略均一な隙間が形成されるように設けられている。
また、この取付溝１４の取付対象側に向く溝内側壁を区画する側壁片部１３は、当該ケース１が組み付けられた状態で、ケース本体２０の受部２４との間に隙間が形成されるような突出寸法とされている。つまり、この側壁片部１３の溝底からの突出寸法は、反取付対象側に向く溝内側壁を構成する蓋本体１１の周端部の溝底からの突出寸法よりも小さい寸法とされている。
【００２３】
この取付溝１４における当該裏蓋１０の上辺部に沿うように直線状に設けられた上辺直線溝１５の溝底が、当該ケース１が組み付けられた状態で、ケース本体２０の上板状部２５の受部２４に対向するように配される。また、この取付溝１４における当該裏蓋１０の両側辺部のそれぞれに沿うように直線状に設けられた両側辺直線溝１７，１７の溝底が、当該ケース１が組み付けられた状態で、ケース本体２０の各側板状部２６の受部２４にそれぞれ対向するように配される。また、この取付溝１４における当該裏蓋１０の下辺部に沿うように直線状に設けられた下辺直線溝１８の溝底が、当該ケース１が組み付けられた状態で、ケース本体２０の下板状部２７の受部２４に対向するように配される。
【００２４】
また、この取付溝１４における、上辺直線溝１５とその両側の各側辺直線溝１７，１７との隅部及び下辺直線溝１８とその両側の各側辺直線溝１７，１７との隅部となるコーナー部としてのコーナー溝１６，１６，１６，１６は、突湾曲状（Ｒ形状）とされている。
これらコーナー溝１６，１６，１６，１６の溝底が突湾曲面形状とされ、かつ、当該ケース１が組み付けられた状態で、ケース本体２０の内周側四隅のコーナー部の受部２４に対向するように配される。これらコーナー溝１６，１６，１６，１６の溝底は、当該ケース１が組み付けられた状態で組付方向に見て、ケース本体２０の内周側四隅のコーナー部の受部２４と略同心円状となるように設けられている。また、これらコーナー溝１６，１６，１６，１６の溝底の曲率半径は、互いに略同径状とされている。
また、図例では、取付溝１４の取付対象側に向く溝内側壁を区画する側壁片部１３のコーナー部における突出方向先端面を、コーナー溝１６，１６，１６，１６の溝底と略同心円状の突湾曲面形状とした例を示している。また、図例では、取付溝１４の反取付対象側に向く溝内側壁を区画する蓋本体１１の周端部のコーナー部における外周端面を、コーナー溝１６，１６，１６，１６の溝底よりも曲率半径が小さい突湾曲面形状とした例を示している。
【００２５】
また、本実施形態では、図２（ｂ）に示すように、係合穴１９を、裏蓋１０の少なくとも一つの辺部に沿う取付溝１４の中央部に設け、この係合穴１９に応じた位置となるように、後記するパッキン３０のベース部３１に係合突起３９を設けた構成としている。このような構成とすれば、当該ケース１を組み付ける際に、特に浮き易くなるコーナー部以外の部位（直線部）となる辺部の中央部におけるベース部３１の浮きを抑制することができ、パッキン３０の捩れを効果的に抑制することができる。
本実施形態では、裏蓋１０の少なくとも一つの辺部に沿う取付溝１４としての両側辺直線溝１７，１７の溝長手方向中央部のそれぞれに、係合穴１９，１９を設けた例を示している。
【００２６】
また、本実施形態では、取付溝１４及びパッキン３０を、当該ケース１の組付方向に見て、係合穴１９及び係合突起３９を除いて線対称状の外郭としている。また、係合穴１９及び係合突起３９を、パッキン３０を対称軸廻りに表裏逆側となるように反転させた状態で係合穴１９への係合突起３９の嵌め入れが不能となるように設けている。このような構成とすれば、パッキン３０を取付溝１４に取り付ける際に、表裏逆側に取り付け難くなる。これにより、パッキン３０のヒレ部３２が逆側に向いた状態で取り付けられるようなことを抑制することができる。
【００２７】
本実施形態では、取付溝１４及びパッキン３０を、図２に示すように、当該ケース１の組付方向に見て、係合穴１９及び係合突起３９が設けられた位置を含んで、上下方向中心線を対称軸とする線対称状（上下対称状）の外郭としている。また、本実施形態では、図３（ｂ）及び図４（ｃ）に示すように、係合穴１９を、取付溝１４の溝幅方向の一方側に片寄った位置となるように設け、この係合穴１９に応じた位置となるようにパッキン３０のベース部３１に係合突起３９を設けた構成としている。このような構成とすれば、取付溝１４及びパッキン３０を、当該ケース１の組付方向に見て、係合穴１９及び係合突起３９が設けられた位置を含んで、線対称状の外郭とした場合にも、パッキン３０を表裏逆側に取り付け難くすることができる。
本実施形態では、取付溝１４の溝底において開口する係合穴１９を、取付溝１４の溝底の溝幅方向における当該ケース１の取付対象側に片寄った位置となるように設けた例を示している。この係合穴１９の溝幅方向における位置は、表裏逆側とされたパッキン３０の係合突起３９が係合穴１９に嵌め入れ不能となるように適宜の位置としてもよい。
【００２８】
また、本実施形態では、係合穴１９を、裏蓋１０の一つの辺部に沿う取付溝１４に、この辺部の両側に隣合う辺部のうちの一方に片寄った位置となるように設け、この係合穴１９に応じた位置となるようにパッキン３０のベース部３１に係合突起３９を設けている。このような構成した場合にも、上記同様、パッキン３０を表裏逆側に取り付け難くすることができる。
本実施形態では、取付溝１４の上辺直線溝１５及び下辺直線溝１８のそれぞれに、両側辺直線溝１７，１７のうちの一方の側辺直線溝１７に片寄った位置となるように、係合穴１９，１９Ａを設けた構成としている。つまり、上辺直線溝１５及び下辺直線溝１８の溝長手方向中央部から一方の側辺直線溝１７側にずれた位置となるように、上辺直線溝１５及び下辺直線溝１８のそれぞれに係合穴１９，１９Ａを設けた構成としている。このような構成とすれば、取付溝１４及びパッキン３０を、当該ケース１の組付方向に見て、係合穴１９及び係合突起３９を除いて線対称状（左右対称状）の外郭とした場合にも、パッキン３０を上下方向に沿う対称軸廻りに表裏逆側に反転させて取り付け難くなる。なお、図例では、上辺直線溝１５の係合穴１９と下辺直線溝１８の係合穴１９Ａとを、上下方向に見て互いに一致した位置となるように設けた例を示しているが、これらを上下方向に見て互いに異なる位置となるように設けるようにしてもよい。
【００２９】
また、本実施形態では、上辺直線溝１５及び下辺直線溝１８のそれぞれの溝長手方向中央部から僅かにずれた位置となるように係合穴１９，１９Ａを設けた構成としている。これら係合穴１９，１９Ａの溝長手方向における位置は、パッキン３０の表裏の取付間違いを抑制する観点等から適宜の位置としてもよい。
つまり、本実施形態では、取付溝１４の四辺の各直線溝１５，１７，１７，１８の溝長手方向中央部または溝長手方向中央部近傍に、係合穴１９，１９，１９，１９Ａを設けた構成としている。
これら係合穴１９，１９，１９，１９Ａは、各穴を深さ方向に見て、略方形穴状とされ、互いに略同寸同形状とされている（図１参照）。図例では、これら係合穴１９，１９，１９，１９Ａを、取付溝１４の溝長手方向に長尺な略長方形穴状としている。また、これら係合穴１９，１９，１９，１９Ａの取付溝１４の溝幅方向に沿う寸法は、取付溝１４の溝幅よりも小さい寸法とされている。
【００３０】
また、本実施形態では、下辺直線溝１８に設けられた係合穴１９Ａを、図１及び図３（ｂ）に示すように、取付溝１４の溝底を区画する溝底片部１２を溝深さ方向に貫通するように設けられた係合貫通孔１９Ａとしている。また、この下辺直線溝１８以外の部位に設けられた係合穴１９，１９，１９、つまり、上辺直線溝１５及び両側辺直線溝１７，１７のそれぞれに設けられた係合穴１９，１９，１９を、図３（ｂ）に示すように、有底穴状の係合凹部１９，１９，１９としている。このような構成とすれば、当該ケース１を取付対象に取り付けた状態で、上辺側や両側辺側に水等が付着した場合にも、係合凹部１９，１９，１９を介してケース１内に水等が浸入するようなことを抑制することができる。
これら係合凹部１９，１９，１９は、取付溝１４の溝底を区画する溝底片部１２の該当部位を、内周側に向けて突出させた部位に設けられている。
なお、このような態様に代えて、係合穴１９，１９，１９，１９Ａの全てを係合凹部としたり、係合貫通孔としたりしてもよい。
【００３１】
また、図例では、裏蓋１０の取付溝１４よりも内周側の適所に、ケース本体２０に設けられた雌ねじ穴に捩じ込まれるねじが挿通されるねじ挿通孔を設けた例を示している。
なお、裏蓋１０とケース本体２０とは、ねじによって組み付けられる態様に限られない。例えば、裏蓋１０及びケース本体２０のそれぞれに互いに着脱自在に係止する係止部や面ファスナー等を設けた態様としたりしてもよい。
また、裏蓋１０の取付溝１４よりも内周側の適所等に、当該ケース１に収容される電子機器等の駆動電源となる電池を交換するための電池蓋等を設けるようにしてもよい。
また、これら裏蓋１０及びケース本体２０は、金属系材料や硬質の合成樹脂系材料等から形成されたものとしてもよい。
【００３２】
パッキン３０は、図２及び図３に示すように、ベース部３１を取付溝１４に嵌め入れ、裏蓋１０に対して取り付けられる構成とされている。
本実施形態では、パッキン３０を、図２（ａ）に示すように、一部材からなるリング状（環状）としている。つまり、このパッキン３０は、継目や途切れなく取付溝１４の全周に亘って設けられることとなる。このような構成とすれば、パッキン３０による封止性を、ケース本体２０及び裏蓋１０の周方向の全周に亘って向上させることができる。
このパッキン３０は、当該ケース１の組付方向に見て、取付溝１４に応じた外郭形状とされている。つまり、パッキン３０は、取付溝１４の四辺の各直線溝１５，１７，１７，１８のそれぞれに嵌め入れられる四辺の直線部３５，３７，３７，３８（上辺直線部３５、両側辺直線部３７，３７及び下辺直線部３８）を備えている。また、パッキン３０は、取付溝１４の四隅のコーナー溝１６，１６，１６，１６のそれぞれに嵌め入れられるコーナー部３６，３６，３６，３６を備えている。
【００３３】
パッキン３０の四辺の直線部３５，３７，３７，３８の周方向に沿う寸法となる長さ寸法は、取付溝１４の四辺の各直線溝１５，１７，１７，１８の溝長さに応じた寸法とされている。これら四辺の直線部３５，３７，３７，３８の周方向に沿う寸法を、取付溝１４の四辺の各直線溝１５，１７，１７，１８の溝長さと同寸法としてもよく、または各直線溝１５，１７，１７，１８の溝長さよりも僅かに小さい寸法としてもよい。
また、パッキン３０のコーナー部３６，３６，３６，３６の周方向に沿う寸法は、取付溝１４のコーナー溝１６，１６，１６，１６の周方向に沿う寸法に応じた寸法とされている。このパッキン３０のコーナー部３６，３６，３６，３６におけるベース部３１の取付溝１４の溝底に当接される面となる内周面の曲率半径を、取付溝１４のコーナー溝１６，１６，１６，１６の溝底の曲率半径に応じた径としてもよい。このパッキン３０の各コーナー部３６のベース部３１の内周面の曲率半径を、取付溝１４の各コーナー溝１６の溝底の曲率半径と同径としてもよく、または取付溝１４の各コーナー溝１６の溝底の曲率半径よりも僅かに小さい径としてもよい。
【００３４】
パッキン３０のベース部３１は、図３に示すように、取付溝１４の溝深さ方向に厚さ方向を沿わせた帯状とされている。このベース部３１の厚さ寸法（係合突起３９が設けられた部位以外の厚さ寸法）は、取付溝１４の溝深さよりも小さい寸法とされている。また、このベース部３１の幅寸法（取付溝１４の溝幅方向に沿う寸法）は、取付溝１４に嵌め入れ可能なように、適宜の寸法としてもよい。図例では、ベース部３１の幅寸法を、取付溝１４の溝幅よりも僅かに小さい寸法とした例を示している。
また、ベース部３１は、係合突起３９が設けられた部位を除いて、全周に亘って略一様な断面形状とされている。図例では、ベース部３１の断面形状を、取付溝１４の溝幅方向に長尺な略長方形状としている。
【００３５】
このベース部３１の内周側に向く面（内周面）から突出するように、係合突起３９が設けられている。
本実施形態では、上記した裏蓋１０の取付溝１４に設けられた係合穴１９，１９，１９，１９Ａに応じた位置となるように、周方向に間隔を空けて四つの係合突起３９，３９，３９，３９を設けた構成としている。
つまり、パッキン３０の両側辺直線部３７，３７の長手方向中央部のそれぞれに係合突起３９，３９を設けている。これら両側辺直線部３７，３７の各係合突起３９，３９が取付溝１４の両側辺直線溝１７，１７の各係合穴１９，１９のそれぞれに嵌め入れられる。
また、パッキン３０の上辺直線部３５及び下辺直線部３８のそれぞれに、両側辺直線部３７，３７のうちの一方の側辺直線部３７に片寄った位置となるように、係合突起３９，３９を設けた構成としている。これら上辺直線部３５及び下辺直線部３８の各係合突起３９，３９が取付溝１４の上辺直線溝１５及び下辺直線溝１８の各係合穴１９，１９Ａのそれぞれに嵌め入れられる。
【００３６】
また、これら係合突起３９，３９，３９，３９は、図３（ｂ）及び図４（ｃ）に示すように、ベース部３１の幅方向の一方側に片寄った位置となるように設けられている。つまり、各係合穴１９に対応させて、各係合突起３９を、ベース部３１の内周面における当該ケース１の取付対象側に片寄った位置となるように設けた例を示している。
これら係合突起３９，３９，３９，３９は、互いに略同寸同形状とされている。また、これら係合突起３９，３９，３９，３９は、当該ケース１の組付方向に厚さ方向を沿わせた突片状とされている。図例では、これら係合突起３９，３９，３９，３９の厚さを、ベース部３１の厚さよりも大としている。また、図例では、これら係合突起３９，３９，３９，３９の突出方向先端側部位を、これらの厚さ方向に見て、突湾曲面形状とした例を示している。
これら係合突起３９，３９，３９，３９の周方向に沿う寸法や厚さ寸法、突出寸法は、係合穴１９，１９，１９，１９Ａの周方向に沿う寸法や溝幅方向に沿う寸法、深さ寸法に応じた寸法とされている。なお、これら係合突起３９，３９，３９，３９の周方向に沿う寸法や厚さ寸法、突出寸法は、パッキン３０の周方向への位置ずれやベース部３１の浮きや捩れ等を抑制する観点等から適宜の寸法としてもよい。
【００３７】
ヒレ部３２は、ベース部３１の幅方向一方側端部となる反取付対象側端部から外周側に向けて突出するように設けられている。このヒレ部３２の突出寸法は、当該ケース１が組み付けられた状態で、弾性変形を伴ってケース本体２０の受部２４に当接するように適宜の寸法としてもよい。図例では、このヒレ部３２の突出寸法を、ベース部３１の幅寸法と概ね同寸法とした例を示している。
また、このヒレ部３２は、基部３３，３４よりも先端部が取付対象側に位置するように傾斜形状とされている。つまり、このヒレ部３２は、ヒレ部３２が自然状態で、反取付対象側に向かうに従い先細状のテーパー状に傾斜する形状とされている。このヒレ部３２の自然状態におけるベース部３１に対する傾斜角度（先側部位の傾斜角度）は、ケース本体２０の受部２４への密着性の観点等から適宜の角度としてもよく、例えば、３０度〜８０度程度としてもよく、図例では、６０度程度とした例を示している。
【００３８】
また、本実施形態では、取付溝１４のコーナー部としてのコーナー溝１６におけるヒレ部３２の基部３４の厚さを、ヒレ部３２の先側部位の厚さよりも大としている。このような構成とすれば、コーナー溝１６におけるヒレ部３２の先側部位を弾性変形し易くしながらも、基部３４の剛性を高めることができ、コーナー溝１６におけるヒレ部３２の倒れを効果的に抑制することができる。また、取付溝１４のコーナー部以外の部位１５，１７，１７，１８におけるヒレ部３２の基部３３に、コーナー溝１６におけるヒレ部３２の基部３４よりも薄くなるように、裏蓋１０に対するケース本体２０の組付方向先側（取付対象側）に向けて開口する凹部３３ａを設けている。このような構成とすれば、コーナー部以外の部位のヒレ部３２を、適切な方向へより弾性変形し易くすることができる。
【００３９】
このヒレ部３２の基部３３，３４を除く先側部位は、図４（ｂ）、（ｃ）に示すように、パッキン３０の全周に亘って略一様な断面形状とされている。図例では、ヒレ部３２の基部３３，３４を除く先側部位を、先端側に向かうに従い先細状とした例を示している。なお、このような態様に代えて、ヒレ部３２の基部３３，３４を除く先側部位を、突出方向の全体に亘って均一な厚さとしてもよい。また、図例では、ヒレ部３２の先端面を、当該ヒレ部３２の厚さ方向一方面となる反取付対象側に向く傾斜面に直交するような略平坦面とした例を示しているが、突湾曲面形状等としてもよい。
【００４０】
各コーナー部３６，３６，３６，３６のヒレ部３２の基部としてのコーナーヒレ基部３４は、図４（ｂ）に示すように、ヒレ部３２の先側部位の最厚部位となる基部側端部に連なるように設けられている。また、各コーナーヒレ基部３４は、ヒレ部３２の先側部位の基部側端部よりも厚さが大きくなるように設けられている。図例では、ヒレ部３２の厚さ方向他方面となる取付対象側に向く傾斜面のベース部３１に対する傾斜角度が、先側部位よりも大きくなるようにコーナーヒレ基部３４を設けた例を示している。
また、各コーナーヒレ基部３４は、各コーナー部３６，３６，３６，３６の周方向の全体に亘って略一様な断面形状とされている。なお、図４（ｂ）では、パッキン３０の四隅のコーナー部３６，３６，３６，３６のうちの一コーナー部３６の断面を図示しているが、他のコーナー部３６，３６，３６も同様の断面形状である。
【００４１】
各直線部３５，３７，３７，３８のヒレ部３２の基部としての直線ヒレ基部３３は、図４（ｃ）に示すように、ヒレ部３２の先側部位の最厚部位となる基部側端部に連なるように設けられている。また、各直線ヒレ基部３３は、ヒレ部３２の先側部位の基部側端部よりも厚さが小さくなるように設けられている。図例では、各直線ヒレ基部３３の厚さ方向他方面が凹湾曲面形状となるように各直線ヒレ基部３３の厚さ方向他方面側に凹部３３ａを設けた例を示している。この凹部３３ａは、各直線ヒレ基部３３に全長に亘って延びるように凹溝状に設けられている。
また、各直線ヒレ基部３３は、各直線部３５，３７，３７，３８の周方向（長手方向）の全体に亘って略一様な断面形状とされている。なお、図３及び図４では、パッキン３０の上辺直線部３５及び下辺直線部３８の断面を図示しているが、両側辺直線部３７，３７も同様の断面形状である。
【００４２】
これらコーナーヒレ基部３４及び直線ヒレ基部３３の厚さ方向一方面となる反取付対象側に向く面は、互いに一連状となるように形成されている。図例では、これらコーナーヒレ基部３４及び直線ヒレ基部３３の反取付対象側に向く面を、突湾曲面形状とした例を示している。
なお、コーナーヒレ基部３４の厚さを、他の部位のヒレ部３２の基部としての直線ヒレ基部３３の厚さよりも大とする態様としては、上記のような態様に限られない。例えば、直線ヒレ基部３３の厚さ方向両側に凹部を設けた態様としたり、直線ヒレ基部３３の厚さを、ヒレ部３２の先側部位の基部側端部と同厚さとしたりしてもよい。また、コーナーヒレ基部３４の厚さ方向一方または両側に、厚さ方向に突出する突段部を設けたような態様としたりしてもよい。その他、種々の態様としてもよい。
【００４３】
また、これらコーナーヒレ基部３４及び直線ヒレ基部３３の厚さは、直線部３５，３７，３７，３８における弾性変形性の観点やコーナー部３６における倒れを抑制する観点等から適宜の厚さとしてもよい。例えば、各コーナーヒレ基部３４の厚さを、各直線ヒレ基部３３の厚さの１．１倍〜３倍程度としてもよく、図例では、１．５倍程度とした例を示している。
また、これらコーナーヒレ基部３４及び直線ヒレ基部３３の当該ヒレ部３２の突出方向に沿う寸法は、上記同様の観点等から適宜の寸法としてもよい。例えば、これらコーナーヒレ基部３４及び直線ヒレ基部３３の当該ヒレ部３２の突出方向に沿う寸法を、当該ヒレ部３２自体の突出寸法の１／２未満としてもよく、好ましくは、１／１０〜１／３程度としてもよく、図例では、いずれも１／４程度とした例を示している。
【００４４】
また、このパッキン３０は、裏蓋１０の取付溝１４に、ベース部３１を嵌め入れるのみによって取り付けられるものとしてもよく、または、粘着材や接着剤等を用いて取り付けられるものとしてもよい。
また、このパッキン３０は、軟質合成樹脂系材料やゴム、各種エラストマー材料等から形成されたものとしてもよい。
【００４５】
次に、本発明に係る他の実施形態について、図面を参照しながら説明する。
図５は、第２実施形態に係るケースが備える第１ケースとしての裏蓋１０Ａ及びパッキン３０Ａの一例を模式的に示す図である。
なお、上記第１実施形態との相違点について主に説明し、同様の構成については、同一の符号を付し、その説明を省略または簡略に説明する。
【００４６】
本実施形態では、裏蓋１０Ａ及びパッキン３０Ａの構成が上記第１実施形態とは主に異なる。
本実施形態では、図５（ａ）に示すように、パッキン３０Ａのコーナー部３６とこのコーナー部３６の両側の部位３５Ａ，３７Ａ（３７Ａ，３８Ａ）との境界部に、裏蓋１０Ａの取付溝１４に設けられた係合穴１９，１９（１９，１９Ａ）に嵌め入れられる係合突起３９，３９を設けている。このような構成とすれば、パッキン３０Ａの取付溝１４に対する周方向の位置ずれを効果的に抑制することができる。また、コーナー部３６の両側の境界部に係合突起３９，３９を設けているので、パッキン３０Ａのコーナー部３６に作用する引張力を低減させることができ、コーナー部３６におけるヒレ部３２の倒れをより効果的に抑制することができる。
【００４７】
また、本実施形態においても、パッキン３０Ａを、上記第１実施形態と同様、コーナー部３６，３６，３６，３６と直線部３５Ａ，３７Ａ，３７Ａ，３８Ａとを有した環状（リング状）としている。また、これらコーナー部３６，３６，３６，３６のそれぞれの両側の境界部に係合突起３９，３９を設けた構成としている。また、このパッキン３０Ａに設けられた各係合突起３９に応じた位置となるように、裏蓋１０Ａの取付溝１４の各コーナー溝１６のそれぞれの両側の境界部に係合穴１９，１９（１９，１９Ａ）を設けた構成としている。このような構成とすれば、パッキン３０Ａのコーナー部３６，３６，３６，３６の周方向に沿う寸法と直線部３５Ａ，３７Ａ，３７Ａ，３８Ａの周方向に沿う寸法とをそれぞれに規定することができる。例えば、パッキン３０Ａの各コーナー部３６の周方向に沿う寸法を、裏蓋１０Ａの取付溝１４の各コーナー溝１６の周方向に沿う寸法と同寸法とする。また、パッキン３０Ａの直線部３５Ａ，３７Ａ，３７Ａ，３８Ａの周方向に沿う寸法を、裏蓋１０Ａの取付溝１４の直線溝１５Ａ，１７Ａ，１７Ａ，１８Ａの周方向に沿う寸法よりも短い寸法としたりできる。このような構成とすれば、パッキン３０Ａを、裏蓋１０Ａの取付溝１４に強固に取り付け可能でありながらも、コーナー部３６におけるヒレ部３２の倒れをより効果的に抑制することができる。
【００４８】
また、本実施形態では、裏蓋１０Ａの取付溝１４及びパッキン３０Ａを、当該ケース１の組付方向に見て、係合穴１９（１９Ａ）及び係合突起３９が設けられた位置を含んで、上下方向中心線を対称軸とする線対称状の外郭で、かつ、左右方向中心線を対称軸とする線対称状の外郭としている。また、上記同様、各係合穴１９（１９Ａ）を、取付溝１４の溝幅方向の一方側に片寄った位置となるように設け、各係合穴１９（１９Ａ）に応じた位置となるように係合突起３９を設けるようにしてもよい。
なお、図例では、四辺の直線部３５Ａ，３７Ａ，３７Ａ，３８Ａの長手方向両端部のそれぞれに係合突起３９，３９を設けた例を示しているが、このような態様に限られない。例えば、このような態様に代えて、コーナー部３６の周方向両端部のそれぞれに係合突起３９，３９を設けたり、各直線部３５Ａ，３７Ａ，３７Ａ，３８Ａと各コーナー部３６とに跨るように係合突起３９を設けたりしてもよい。
【００４９】
次に、本発明に係る更に他の実施形態について、図面を参照しながら説明する。
図６は、第３実施形態に係るケースが備える第１ケースとしての裏蓋１０Ｂ及びパッキン３０Ｂの一例を模式的に示す図である。
なお、上記第１実施形態との相違点について主に説明し、同様の構成については、同一の符号を付し、その説明を省略または簡略に説明する。
【００５０】
本実施形態では、裏蓋１０Ｂ及びパッキン３０Ｂの構成が上記第１実施形態とは主に異なる。
本実施形態では、図６（ｂ）に示すように、裏蓋１０Ｂの上辺部に沿う取付部としての上辺直線溝１５Ｂを除く両側辺部に沿う取付部としての両側辺直線溝１７，１７及び下辺部に沿う取付部としての下辺直線溝１８Ｂのそれぞれに係合穴１９，１９，１９Ａを設けた構成としている。また、これら係合穴１９，１９，１９Ａに応じた位置となるようにパッキン３０Ｂのベース部３１に係合突起３９，３９，３９を設けている。つまり、裏蓋１０Ｂの上辺部に沿う取付部としての上辺直線溝１５Ｂに係合穴を設けておらず、また、パッキン３０Ｂの上辺直線部３５Ｂに係合突起を設けていない構成としている。例えば、裏蓋１０Ｂの上辺部に沿う取付部としての上辺直線溝１５Ｂに係合穴を設けた場合には、係合穴に塵埃や水等が溜まったり、貫通孔とすれば、ケース１内に水が浸入するようなことも考えられる。上記構成によれば、このようなことを抑制することができる。また、裏蓋１０Ｂの両側辺部及び下辺部におけるベース部３１の浮きを抑制することができ、パッキン３０Ｂの捩れを効果的に抑制することができる。
【００５１】
また、上記第１実施形態と同様、裏蓋１０Ｂの両側辺直線溝１７，１７の溝長手方向中央部のそれぞれに係合穴１９，１９を設け、パッキン３０Ｂの両側辺直線部３７，３７の長手方向中央部のそれぞれに係合突起３９，３９を設けた構成としている。
また、本実施形態では、裏蓋１０Ｂの下辺直線溝１８Ｂの溝長手方向中央部に係合穴１９Ａを設け、パッキン３０Ｂの下辺直線部３８Ｂの長手方向中央部に係合突起３９を設けた構成としている。
また、本実施形態では、裏蓋１０Ｂの取付溝１４及びパッキン３０Ｂを、当該ケース１の組付方向に見て、係合穴１９（１９Ａ）及び係合突起３９が設けられた位置を含んで、左右方向中心線を対称軸とする線対称状の外郭としている。また、上記同様、各係合穴１９（１９Ａ）を、取付溝１４の溝幅方向の一方側に片寄った位置となるように設け、各係合穴１９（１９Ａ）に応じた位置となるように係合突起３９を設けるようにしてもよい。
【００５２】
次に、本発明に係る更に他の実施形態について、図面を参照しながら説明する。
図７は、第４実施形態に係るケースが備える第１ケースとしての裏蓋１０Ｃ及びパッキン３０Ｃの一例を模式的に示す図である。
なお、上記第１実施形態との相違点について主に説明し、同様の構成については、同一の符号を付し、その説明を省略または簡略に説明する。
【００５３】
本実施形態では、裏蓋１０Ｃ及びパッキン３０Ｃの構成が上記第１実施形態とは主に異なる。
本実施形態では、図７（ａ）、（ｂ）に示すように、裏蓋１０Ｃの少なくとも一つの辺部に沿う取付部としての下辺直線溝１８Ｃに、この下辺直線溝１８Ｃの長手方向に間隔を空けて複数（図例では、３つ）の係合穴１９Ａ，１９Ａ，１９Ａを設けた構成としている。図例では、裏蓋１０Ｃの下辺直線溝１８Ｃの長手方向中央部に係合穴１９Ａを設け、この中央の係合穴１９Ａの両側のそれぞれに等間隔を空けて係合穴１９Ａ，１９Ａを設けた例を示している。また、これら両側の係合穴１９Ａ，１９Ａのそれぞれを、下辺直線溝１８Ｃの長手方向両側半部のそれぞれの長手方向中央部に設けた例を示している。また、これら係合穴１９Ａ，１９Ａ，１９Ａのそれぞれに応じた位置となるように、パッキン３０Ｃの下辺直線部３８Ｃのベース部３１に、複数（図例では、３つ）の係合突起３９，３９，３９を設けた構成としている。このような構成とすれば、当該ケース１を組み付ける際における下辺部のベース部３１の浮きを効果的に抑制することができる。
【００５４】
また、本実施形態においても、裏蓋１０Ｃの取付溝１４及びパッキン３０Ｃを、当該ケース１の組付方向に見て、係合穴１９Ａ及び係合突起３９が設けられた位置を含んで、左右方向中心線を対称軸とする線対称状の外郭としている。また、上記同様、各係合穴１９Ａを、取付溝１４の溝幅方向の一方側に片寄った位置となるように設け、各係合穴１９Ａに応じた位置となるように係合突起３９を設けるようにしてもよい。
なお、本実施形態では、裏蓋１０Ｃの下辺直線溝１８Ｃのみに複数の係合穴１９Ａを設けた例を示しているが、このような態様に限られない。このような態様に代えて、または加えて、裏蓋１０Ｃの他の辺部に沿う取付部としての直線溝１５Ｂ，１７Ｂ，１７Ｂのいずれかに複数若しくは単一の係合穴１９を設けた態様としてもよい。
【００５５】
また、上記各実施形態において説明した第１ケースとしての裏蓋１０，１０Ａ，１０Ｂ，１０Ｃ及びパッキン３０，３０Ａ，３０Ｂ，３０Ｃにおける互いに異なる構成を、適宜、組み合わせたり、組み替えたりして適用するようにしてもよい。この場合は、適宜、必要に応じて変形するようにしてもよい。
また、裏蓋１０，１０Ａ，１０Ｂ，１０Ｃの係合穴１９（１９Ａ）及びパッキン３０，３０Ａ，３０Ｂ，３０Ｃの係合突起３９の位置や個数、形状は、上記した例に限られず、種々の変形が可能である。さらには、このような係合穴１９（１９Ａ）及び係合突起３９を、裏蓋１０，１０Ａ，１０Ｂ，１０Ｃ及びパッキン３０，３０Ａ，３０Ｂ，３０Ｃに設けないようにしてもよい。
【００５６】
また、上記各実施形態では、パッキン３０，３０Ａ，３０Ｂ，３０Ｃのヒレ部３２を、傾斜形状とした例を示しているが、ベース部３１に対して直交状に立ち上がるような形状としてもよい。
また、上記各実施形態では、パッキン３０，３０Ａ，３０Ｂ，３０Ｃを、リング状とした例を示しているが、周方向に分断されたものとしてもよい。さらには、裏蓋１０，１０Ａ，１０Ｂ，１０Ｃの周方向の全周に亘って設けられるものに限られず、一部にのみ設けられるものとしてもよい。これらの場合は、自然状態で、裏蓋１０，１０Ａ，１０Ｂ，１０Ｃのコーナー溝１６に応じたコーナー部を有したパッキンに限られず、自然状態で直線状とされ、裏蓋１０，１０Ａ，１０Ｂ，１０Ｃの取付溝１４に沿わせるように取り付けられるパッキンとしてもよい。
また、上記各実施形態では、パッキン３０，３０Ａ，３０Ｂ，３０Ｃのベース部３１が取り付けられる取付部を、ベース部３１の幅方向両側への移動の抑制が可能なように凹溝状の取付溝１４とした例を示しているが、このような態様に限られない。例えば、ベース部３１の幅方向一方側への移動のみを抑制する壁部を設けたような取付部としたり、略平坦面状の取付部としたりしてもよい。その他、種々の変形が可能である。
【００５７】
また、上記各実施形態では、ケース１を、取付対象としての壁面に取り付けられる壁面設置型とした例を示しているが、このような態様に限られず、種々の取付対象に取り付けられるものでもよく、または、載置等されるものでもよい。
また、上記各実施形態では、ケース１を、組付方向に見て、概ね方形状（図例では、概ね長方形状）とした例を示しているが、正方形状としたり、他の正多角形状としたり、さらには、他の多角形状としたりしてもよい。その他、種々の形状としてもよい。
また、上記各実施形態では、ケース１のケース本体２０及び裏蓋１０，１０Ａ，１０Ｂ，１０Ｃの隅部となるコーナー部以外の部位を、直線状とした例を示しているが、このような態様に限られない。例えば、コーナー部以外の部位を、コーナー部よりも緩やかな湾曲状（円弧状）としたりしてもよい。つまりは、パッキン３０，３０Ａ，３０Ｂ，３０Ｃの曲率半径が小さい部位におけるヒレ部３２の基部３４の厚さを、これよりも曲率半径が大きい部位におけるヒレ部３２の基部３３の厚さよりも大としてもよい。
【００５８】
また、上記各実施形態では、ケース１のケース本体２０及び裏蓋１０，１０Ａ，１０Ｂ，１０Ｃの隅部となるコーナー部を湾曲状とした例を示しているが、ケース１の組付方向に見て、Ｃ面取り状や多面取り状、さらには略直交状のコーナー部としてもよい。この場合は、パッキン３０，３０Ａ，３０Ｂ，３０Ｃを、適宜、必要に応じて変形するようにしてもよい。
また、上記各実施形態では、第１ケースを、略板状の裏蓋１０，１０Ａ，１０Ｂ，１０Ｃとし、第２ケースを、一方に開口する薄型箱状とした例を示しているが、このような態様に限られない。例えば、第１ケースを、表側を覆う表蓋としたり、また、第１ケースを一方に開口する薄型箱状とし、第２ケースを略板状としたり、さらには、両方を薄型箱状としたりしてもよい。また、ケース１自体を薄型箱状とした態様に代えて、組付方向に比較的に大きい筒状としてもよい。ケース１を構成する第１ケース及び第２ケースとしては、その他、種々の変形が可能である。
【符号の説明】
【００５９】
１      ケース
１０，１０Ａ，１０Ｂ，１０Ｃ  裏蓋（第１ケース）
１４    取付溝（取付部）
１９    係合凹部（係合穴）
１９Ａ  係合貫通孔（係合穴）
２０    ケース本体（第２ケース）
２４    受部
３０，３０Ａ，３０Ｂ，３０Ｃ  パッキン
３１    ベース部
３２    ヒレ部
３３    直線ヒレ基部（コーナー部以外の部位におけるヒレ部の基部）
３３ａ  凹部
３４    コーナーヒレ基部（コーナー部におけるヒレ部の基部）
３９    係合突起
【図１】
0006372803.tif 000002
【図２】
0006372803.tif 000003
【図３】
0006372803.tif 000004
【図４】
0006372803.tif 000005
【図５】
0006372803.tif 000006
【図６】
0006372803.tif 000007
【図７】
0006372803.tif 000008